(57)【要約】【課題】  変形や破損に強い逆止弁を提供する。【解決手段】  本体とディスク弁とを有し、該本体は両端に夫々出水口と入水口を有する筒体であり、該出水口と入水口の中央に外側にリブを有する中央筒部が設けられ、各中央筒部の中央に取付孔が形成され、前記ディスク弁は本体の内部に収容されると共に、入水口の大きさに対応する面積を有する円盤であり、その中央に両端が各中央筒部の取付孔に貫設される中心軸が設けられ、ディスク弁と出水口との間における中心軸にスプリングが設けられる逆止弁であって、前記入水口側のディスク弁の一面に合成ゴムが被覆されることを特徴とする。【選択図】  図１
0003127795.tif 000002
【実用新案登録請求の範囲】
【請求項１】
本体とディスク弁とを有し、該本体は両端に夫々出水口と入水口を有する筒体であり、該出水口と入水口の中央に外側にリブを有する中央筒部が設けられ、各中央筒部の中央に取付孔が形成され、
前記ディスク弁は本体の内部に収容されると共に、入水口の大きさに対応する面積を有する円盤であり、その中央に両端が各中央筒部の取付孔に貫設される中心軸が設けられ、ディスク弁と出水口との間における中心軸にスプリングが設けられる逆止弁であって、
前記入水口側のディスク弁の一面に合成ゴムが被覆されることを特徴とする逆止弁。
【請求項２】
前記ディスク弁の全表面に合成ゴムが被覆されることを特徴とする請求項１に記載の逆止弁。
【請求項３】
前記入水口側のディスク弁における合成ゴムの一面に、入水口の形状と対応する突出リングが設けられると共に、他面にワッシャが設けられ、該ワッシャの外側における中心軸上にナットが螺設されることにより、該ワッシャをディスク弁と密接させ、更に、前記入水口側のディスク弁における合成ゴムの一面の中央に該合成ゴムを固定するための固定リングが設けられることを特徴とする請求項１又は２に記載の逆止弁。
【請求項４】
前記合成ゴムは、プレス鋳造方式によりディスク弁に被覆され、該合成ゴムは、エチレン・プロピレンゴム（EPM 、EPDM）、ブチルゴム（IIR）又はアクリロニトリル・ブタンジエンゴム（NBR）であることを特徴とする請求項３に記載の逆止弁。
【考案の詳細な説明】
【技術分野】
【０００１】
本考案は、特に変形や破損に強い逆止弁に関するものである。
【背景技術】
【０００２】
図７及び図８に示すように、従来の逆止弁は、本体（４０）とディスク弁（５０）とを有し、該本体（４０）は両端に夫々出水口（４２）と入水口（４１）を有する筒体であり、その内部に収容部（４３）が形成され、該出水口（４２）と入水口（４１）の中央に、外側にリブ（符号なし）を有する中心筒部（４４）が設けられ、該中心筒部（４４）の中央に取付孔（４４０）が形成される。
【０００３】
前記ディスク弁（５０）は収容部（４３）に収容されると共に、入水口（４１）の大きさに対応する面積を有し、中央に両端が夫々中心筒部（４４）の取付孔（４４０）に貫設される中心軸（５１）が設けられ、更に、ディスク弁（５０）と出水口（４２）との間における中心軸（５１）にスプリング（５２）が設けられる。
【０００４】
又、前記従来の逆止弁を使用する時は、水が流れ込むと、水圧によってスプリング（５２）が抵抗を受け、ディスク弁（５０）が押されて出水口（４２）へ移動することにより、入水口（４１）が開放され、水が入水口（４１）から出水口（４２）へ流れ込む。又、水圧が弱まると、ディスク弁（５０）がスプリング（５２）の付勢力によって入水口（４１）側へ押されて移動し、入水口（４１）を封止することにより、水の逆流を防止する。
【考案の開示】
【考案が解決しようとする課題】
【０００５】
しかしながら、前記従来の逆止弁におけるディスク弁（５０）は金属からなるため、入水口（４１）を封止する時、騒音が発生しやすく、更に、長時間に繰り返して移動することから、変形や破損の恐れがあるので、更に改良する必要があった。
【０００６】
そこで、案出されたのが本考案であって、変形や破損に強い逆止弁を提供することを目的としている。
【課題を解決するための手段】
【０００７】
本願の請求項１の考案は、本体とディスク弁とを有し、該本体は両端に夫々出水口と入水口を有する筒体であり、該出水口と入水口の中央に外側にリブを有する中央筒部が設けられ、各中央筒部の中央に取付孔が形成され、前記ディスク弁は本体の内部に収容されると共に、入水口の大きさに対応する面積を有する円盤であり、その中央に両端が各中央筒部の取付孔に貫設される中心軸が設けられ、ディスク弁と出水口との間における中心軸にスプリングが設けられる逆止弁であって、前記入水口側のディスク弁の一面に合成ゴムが被覆されることを特徴とする逆止弁、を提供する。
【０００８】
本願の請求項２の考案は、前記ディスク弁の全表面に合成ゴムが被覆されることを特徴とする請求項１に記載の逆止弁、を提供する。
【０００９】
本願の請求項３の考案は、前記入水口側のディスク弁における合成ゴムの一面に、入水口の形状と対応する突出リングが設けられると共に、他面にワッシャが設けられ、該ワッシャの外側における中心軸上にナットが螺設されることにより、該ワッシャをディスク弁と密接させ、更に、前記入水口側のディスク弁における合成ゴムの一面の中央に該合成ゴムを固定するための固定リングが設けられることを特徴とする請求項１又は２に記載の逆止弁、を提供する。
【００１０】
本願の請求項４の考案は、前記合成ゴムは、プレス鋳造方式によりディスク弁に被覆され、該合成ゴムは、エチレン・プロピレンゴム（EPM 、EPDM）、ブチルゴム（IIR）又はアクリロニトリル・ブタンジエンゴム（NBR）であることを特徴とする請求項３に記載の逆止弁、を提供する。
【考案の効果】
【００１１】
本考案は上記の課題を解決するものであり、ディスク弁の外側に緩衝材として使用される合成ゴムが設けられることにより、ディスク弁が入水口を封止する時、騒音が発生し難く、且つ長時間使用しても、ディスク弁の変形や破損も発生し難い。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る逆止弁の第１実施例を示す分解斜視図であり、図２は本考案に係る逆止弁の第１実施例の開放状態を示す断面図であり、図３は本考案に係る逆止弁の第１実施例の封止状態を示す断面図であり、図４は本考案に係る逆止弁の第２実施例を示す断面図であり、図５は本考案に係る逆止弁の第３実施例を示す分解斜視図であり、図６は本考案に係る逆止弁の第３実施例を示す断面図である。
【００１４】
図１乃至図３に示すように、本考案に係る逆止弁は、本体（１０）とディスク弁（２０）とを有し、該本体（１０）は両端に夫々出水口（１１）と入水口（１２）を有する筒体であり、該出水口（１１）と入水口（１２）の中央に、外側にリブ（１３）（１４）を有する中央筒部（１５）（１６）が設けられ、各中央筒部（１５）（１６）の中央に取付孔（１５０）（１６０）が形成される。
【００１５】
前記ディスク弁（２０）は本体（１０）の内部に収容されると共に、入水口（１２）の大きさに対応する面積を有する円盤であり、全表面にプレス鋳造方式により例えばエチレン・プロピレンゴム（EPM 、EPDM）、ブチルゴム（IIR）又はアクリロニトリル・ブタンジエンゴム（NBR）などの合成ゴム（２１）が被覆され、該ディスク弁（２０）の中央に両端が各中央筒部（１５）（１６）の取付孔（１５０）（１６０）に貫設する中心軸（２２）（２３）が設けられ、又、ディスク弁（２０）と出水口（１１）との間における中心軸（２２）上にスプリング（２４）が設けられる。
【００１６】
前記入水口（１２）側の合成ゴム（２１）の一面に入水口（１２）の形状と対応する突出リング（２１０）が設けられると共に、他面にワッシャ（２６）が設けられ、該ワッシャ（２６）の外側における中心軸（２２）上にナット（２７）が螺設されることにより、該ワッシャ（２６）をディスク弁（２０）と密接させる。更に、前記入水口（１２）側の合成ゴム（２１）の一面の中央に該合成ゴム（２１）を固定するための固定リング（２５）が設けられることにより、水が合成ゴム（２１）と中心軸（２３）との隙間から漏れる問題を防止することができる。
【００１７】
図４に示すように、本考案に係る逆止弁の第２実施例は前記第１実施例とほとんど等しく、異なるのは前記入水口（１２）側のディスク弁（２０）の一面のみに合成ゴム（２１’）が被覆され、前記入水口（１２）側の合成ゴム（２１’）の一面に入水口（１２）の形状と対応する突出リング（２１０’）が設けられる。
【００１８】
本考案に係る逆止弁の使用方式は、従来と等しいため、詳細な働き方を省略する。又、本考案はディスク弁（２０）の外側に緩衝材として使用される合成ゴム（２１）（２１’）が設けられることにより、ディスク弁（２０）が入水口（１２）を封止する際、騒音が発生し難く、且つ長時間使用しても、ディスク弁（２０）の変形や破損も発生し難い。
【００１９】
又、図５及び図６に示すように、本考案に係る逆止弁の第３実施例は更にフィルター（３０）を含み、入水口（１２）を有する本体（１０）の一端の外側に複数の結合孔（１００）が形成され、該フィルター（３０）の一端の外側に本体（１０）の結合孔（１００）と対応する結合孔（３１）が形成され、これらの結合孔（１００）（３１）にねじなどの結合部材（３２）が設けられることにより、フィルター（３０）が本体の入水口（１２）端部に設けられる。これにより、大きな汚れ物や雑物を本体（１０）の内部に進入することを防止できる。
【産業上の利用可能性】
【００２０】
本考案は上記の構成を有するので、ディスク弁の外側に緩衝材として使用される合成ゴムが設けられることにより、ディスク弁が入水口を封止する時、騒音が発生し難く、且つ長時間使用しても、ディスク弁の変形や破損も発生し難い。
【図面の簡単な説明】
【００２１】
【図１】本考案に係る逆止弁の第１実施例を示す分解斜視図である。
【図２】本考案に係る逆止弁の第１実施例の開放状態を示す断面図である。
【図３】本考案に係る逆止弁の第１実施例の封止状態を示す断面図である。
【図４】本考案に係る逆止弁の第２実施例を示す断面図である。
【図５】本考案に係る逆止弁の第３実施例を示す分解斜視図である。
【図６】本考案に係る逆止弁の第３実施例を示す断面図である。
【図７】従来の逆止弁の封止状態を示す断面図である。
【図８】従来の逆止弁の開放状態を示す断面図である。
【符号の説明】
【００２２】
１０        本体
１００      結合孔
１１        出水口
１２        入水口
１３        リブ
１４        リブ
１５        中央筒部
１５０      取付孔
１６        中央筒部
１６０      取付孔
２０        ディスク弁
２１、２１’        合成ゴム
２１０、２１０’      突出リング
２２        中心軸
２３        中心軸
２４        スプリング
２５        固定リング
２６        ワッシャ
２７        ナット
３０        フィルター
３１        結合孔
３２        結合部材
４０        本体
４１        入水口
４２        出水口
４３        収容部
４４        中心筒部
４４０      取付孔
５０        ディスク弁
５１        中心軸
５２        スプリング
【図１】
0003127795.tif 000003
【図２】
0003127795.tif 000004
【図３】
0003127795.tif 000005
【図４】
0003127795.tif 000006
【図５】
0003127795.tif 000007
【図６】
0003127795.tif 000008
【図７】
0003127795.tif 000009
【図８】
0003127795.tif 000010